(57)【要約】【課題】両面共に文書とノートを挟むことができ、英語用横書き書式と中国語用縦書き書式の機能を同時に備える三つ折式両用文書フォルダーの提供。【解決手段】三つ折式両用文書フォルダーは、順番に連接する表紙板面３１、中間板面３２、裏表紙板面３３を設置し、表紙板面３１と裏表紙板面３３とは折れて、中間板面３２の正面と背面にそれぞれ接し、中間板面３２正面と背面には、第一、第二文書クリップ３４、３５を設置し、両面にレポート、記録用紙、或いはノートなどを挟むことができ、英語用横書き書式と中国語用縦書き書式の使用が同時に可能で、多機能な用途を提供することができる。【選択図】図４
0003158170.tif 000002
【実用新案登録請求の範囲】
【請求項１】
表紙板面、中間板面、裏表紙板面を順番に連接して構成し、
前記表紙板面と前記裏表紙板面とは折れて、前記中間板面の正面と背面にそれぞれ接し、
前記中間板面正面と背面には、第一、第二文書クリップを設置することを特徴とする三つ折式両用文書フォルダー。
【請求項２】
請求項１記載の三つ折式両用文書フォルダーにおいて、前記第一文書クリップは、前記中間板面正面の上方位置に設置することを特徴とする三つ折式両用文書フォルダー。
【請求項３】
請求項１記載の三つ折式両用文書フォルダーにおいて、前記第一文書クリップは、前記中間板面正面の側辺位置に設置することを特徴とする三つ折式両用文書フォルダー。
【請求項４】
請求項１記載の三つ折式両用文書フォルダーにおいて、前記第二文書クリップは、前記中間板面背面の上方位置に設置することを特徴とする三つ折式両用文書フォルダー。
【請求項５】
請求項１記載の三つ折式両用文書フォルダーにおいて、前記第二文書クリップは、前記中間板面背面の側辺位置に設置することを特徴とする三つ折式両用文書フォルダー。
【請求項６】
請求項１記載の三つ折式両用文書フォルダーにおいて、前記表紙板面と前記裏表紙板面とは、前記中間板面の第一、第二文書クリップの位置に対応して、中空の第一、第二貫通孔を設置し、
前記第一、第二文書クリップは、前記第一、第二貫通孔を通して、前記表紙板面と前記裏表紙板面において、直接文書を挟むことができることを特徴とする三つ折式両用文書フォルダー。
【請求項７】
請求項１記載の三つ折式両用文書フォルダーにおいて、前記文書フォルダーは、ポリプロピレン材質により製造することを特徴とする三つ折式両用文書フォルダー。
【考案の詳細な説明】
【技術分野】
【０００１】
本考案は三つ折式両用文書フォルダーに関し、特に両面共に文書とノートを挟むことができ、英語用横書き書式と中国語用縦書き書式の機能を同時に備える三つ折式両用文書フォルダーに関する。
【背景技術】
【０００２】
従来の横書き書式、及び縦書き書式の二つ折式文書フォルダーの立体模式図である図１、２に示すように、従来の二つ折式文書フォルダーは、横書き書式の二つ折式文書フォルダー１０と、縦書き書式の二つ折式文書フォルダー２０を備える。
横書き書式の二つ折式文書フォルダー１０は、第一、第二板面１１、１２を備える。第二板面１２正面の上方中央位置には、文書クリップ１３を設置し、紙を挟むことができ、これにより英語用横書き書式に用いる。第一板面１１は、文書クリップ１３位置に対応して、中空の貫通孔１４を設置する。
縦書き書式の二つ折式文書フォルダー２０は、第一、第二板面２１、２２を備える。第二板面２２正面の側辺中央位置には、文書クリップ２３を設置し、紙を挟むことができ、これにより中国語用縦書き書式に用いる。第一板面２１は、文書クリップ２３位置に対応して、中空の貫通孔２４を設置する。
【０００３】
上記した従来の二つ折式文書フォルダー１０、２０は、実際の製造及び使用時に、以下のような欠点と問題が存在する。
１．従来の二つ折式文書フォルダー１０、２０の文書クリップ１３、２３は、１個だけであるため、挟むことができる文書が比較的少なく、多数の二つ折式文書フォルダー１０、２０を用意しなければならないこともあり、携帯と使用においての面倒及び不便を引き起こしている。
２．従来の二つ折式文書フォルダーでは、英語用横書き書式と中国語用縦書き書式に対応するためには、横書き式と縦書き式の２種の文書フォルダーをそれぞれに製造及び購入しなければならないため、製造と購入のコストを増大させている。
【考案の概要】
【考案が解決しようとする課題】
【０００４】
本考案の主要な目的は、表紙板面、中間板面、裏表紙板面を順番に連接して構成し、中間板面正面と背面には、第一、第二文書クリップを設置し、より多くの文書を挟むことができ、製造と購買コストを引き下げ、しかも携帯と使用において簡単かつ便利で、使用機能を大きく増進することができる三つ折式両用文書フォルダーを提供することである。
本考案の次の目的は、中間板面正面上方と背面側辺には、第一、第二文書クリップを設置し、第一文書クリップは、紙の上方を挟み、英語用横書き書式に適し、第二文書クリップは、紙の側辺を挟み、中国語用縦書き書式に適し、こうして使用機能を増進させることができる三つ折式両用文書フォルダーを提供することである。
【課題を解決するための手段】
【０００５】
請求項１の考案は、三つ折式両用文書フォルダーは、表紙板面、中間板面、裏表紙板面を順番に連接して構成し、
前記表紙板面と前記裏表紙板面とは折れて、前記中間板面の正面と背面にそれぞれ接し、
前記中間板面正面と背面には、第一、第二文書クリップを設置することを特徴とする三つ折式両用文書フォルダーとしている。
請求項２の考案は、請求項１記載の三つ折式両用文書フォルダーにおいて、前記第一文書クリップは、前記中間板面正面の上方位置に設置することを特徴とする三つ折式両用文書フォルダーとしている。
請求項３の考案は、請求項１記載の三つ折式両用文書フォルダーにおいて、前記第一文書クリップは、前記中間板面正面の側辺位置に設置することを特徴とする三つ折式両用文書フォルダーとしている。
請求項４の考案は、請求項１記載の三つ折式両用文書フォルダーにおいて、前記第二文書クリップは、前記中間板面背面の上方位置に設置することを特徴とする三つ折式両用文書フォルダーとしている。
請求項５の考案は、請求項１記載の三つ折式両用文書フォルダーにおいて、前記第二文書クリップは、前記中間板面背面の側辺位置に設置することを特徴とする三つ折式両用文書フォルダーとしている。
請求項６の考案は、請求項１記載の三つ折式両用文書フォルダーにおいて、前記表紙板面と前記裏表紙板面とは、前記中間板面の第一、第二文書クリップの位置に対応して、中空の第一、第二貫通孔を設置し、
前記第一、第二文書クリップは、前記第一、第二貫通孔を通して、前記表紙板面と前記裏表紙板面において、直接文書を挟むことができることを特徴とする三つ折式両用文書フォルダーとしている。
請求項７の考案は、請求項１記載の三つ折式両用文書フォルダーにおいて、前記文書フォルダーは、ポリプロピレン材質により製造することを特徴とする三つ折式両用文書フォルダーとしている。
【考案の効果】
【０００６】
本考案三つ折式両用文書フォルダーは、両面にレポート、記録用紙、或いはノートなどを挟むことができ、英語用横書き書式と中国語用縦書き書式の使用が同時に可能で、多機能な用途を提供することができる。
【図面の簡単な説明】
【０００７】
【図１】従来の横書き書式の二つ折式文書フォルダーの立体模式図である。
【図２】従来の縦書き書式の二つ折式文書フォルダーの立体模式図である。
【図３】本考案の立体組合せ模式図である。
【図４】本考案の立体分解模式図である。
【図５】本考案の横書き書式の立体模式図である。
【図６】本考案の縦書き書式の立体模式図である。
【図７】本考案の横書き書式の状態模式図である。
【図８】本考案の縦書き書式の状態模式図である。
【考案を実施するための形態】
【０００８】
本考案の立体組合せ模式図、及び立体分解模式図である図３、４、本考案の横書き書式の立体模式図、及び縦書き書式の立体模式図である図５、６に示すように、三つ折式文書フォルダー３０は、順番に連接する表紙板面３１、中間板面３２、裏表紙板面３３を設置する。
【０００９】
表紙板面３１と裏表紙板面３３とは折れて、中間板面３２の正面と背面にそれぞれ接する。中間板面３２正面の上方位置と背面の側辺中央位置には、第一文書クリップ３４と第二文書クリップ３５を設置し、紙を挟むために用いる。これにより、英語用横書き書式と中国語用縦書き書式に対応することができる。表紙板面３１は、第一文書クリップ３４の位置に対応して、中空の第一貫通孔３６を設置する。裏表紙板面３３は、第二文書クリップ３５の位置に対応して、中空の第二貫通孔３７を設置する。これにより、第一、第二文書クリップ３４、３５は、中間板面３２の正面と背面において、文書を挟むことができる他に、第一、第二貫通孔３６、３７を通して、表紙板面３１と裏表紙板面３３において、直接文書を挟むこともできる。
【００１０】
上記した各構成部品の組合せにより構成する三つ折式文書フォルダー３０の、実際の応用について、以下に説明する。
本考案の横書き書式の状態模式図である図７に示すように、使用者は、表紙板面３１を開き、紙を中間板面３２正面上方の第一文書クリップ３４に挟むだけで、英語用横書き書式として用いることができる。
本考案の縦書き書式の状態模式図である図８に示すように、使用者は、裏表紙板面３３を開き、紙を中間板面背面側辺の第二文書クリップ３５に挟むだけで、中国語用縦書き書式として用いることができる。
【符号の説明】
【００１１】
１０  二つ折式文書フォルダー
１１  第一板面
１２  第二板面
１３  文書クリップ
１４  貫通孔
２０  二つ折式文書フォルダー
２１  第一板面
２２  第二板面
２３  文書クリップ
２４  貫通孔
３０  三つ折式文書フォルダー
３１  表紙板面
３２  中間板面
３３  裏表紙板面
３４  第一文書クリップ
３５  第二文飾リップ
３６  第一貫通孔
３７  第二貫通孔
【図１】
0003158170.tif 000003
【図２】
0003158170.tif 000004
【図３】
0003158170.tif 000005
【図４】
0003158170.tif 000006
【図５】
0003158170.tif 000007
【図６】
0003158170.tif 000008
【図７】
0003158170.tif 000009
【図８】
0003158170.tif 000010